(57)【要約】  エレクトロクロミックカラーシステムを、該エレクトロクロミックカラーシステム全体にわたって設けられた光検出器の半透過性のアレイと組み合わせることにより、周辺色を識別し、コレに基づいて該エレクトロクロミックカラーシステムの色を適合するインテリジェントなカラーシステムが製造される。このことは、「カメレオン」作用に相応する。前記アレイは、たとえば異なる色（赤、緑、青）を感知する個々のピクセルである。
2005512125.tif 000002
【特許請求の範囲】
【請求項１】
オブジェクト表面（１）上に可変に着色するためのエレクトロクロミックカラーシステムにおいて、
部分的または全体的に、少なくとも１つのカラーセル（１０）の形態で該オブジェクトに取り付けられており、
該カラーシステムのカラーセル（１０）は順番に、第１の電極（２）と、エレクトロクロミックなカラー層（３）と、第２の電極（４）とから成り、
該カラーシステムが少なくとも１つの光検出器（７，８）によって駆動されることにより、１つまたは複数のカラーセル（１０）は、該光検出器（７，８）によって検出された色に相応する色を呈することを特徴とするエレクトロクロミックカラーシステム。
【請求項２】
該光検出器（７）は、多数の画素を有する構成を有し、
前記構成によって、オブジェクトシーンが２次元で解像される、請求項１記載のエレクトロクロミックカラーシステム。
【請求項３】
カラーセル（１１）が光検出器（８）と組み合わされており、
該カラーセル（１１）は、該カラーセル（１１）の電極（２，４）上に取り付けられた半透過性の光検出層（５）と、後続の半透過性の第３の電極（６）とによって表示される、請求項１記載のエレクトロクロミックカラーシステム。
【請求項４】
該光検出器（８）の第３の電極（６）は複数に下位分類されており、
各個別の電極は別個に駆動される、請求項３記載のエレクトロクロミックカラーシステム。
【請求項５】
扁平に構成されたオブジェクトが、少なくとも部分的に、関連する複数のカラーセル（１０，１１）によって表示される、請求項１から４までのいずれか１項記載のエレクトロクロミックカラーシステム。
【請求項６】
該光検出器（７，８）の光感知層は、有機材料から成る、請求項１から５までのいずれか１項記載のエレクトロクロミックカラーシステム。
【請求項７】
前記有機材料は共役ポリマーである、請求項６記載のエレクトロクロミックカラーシステム。
【請求項８】
エレクトロクロミックカラーシステムを作動させるための方法において、
該エレクトロクロミックカラーシステムに接続されたフォトセンサ（７）によって、単色または多色の画像を取り込み、
該エレクトロクロミックカラーシステムを駆動し、該エレクトロクロミックカラーシステムが設けられたオブジェクト上に画像を表示することを特徴とする、請求項１から７までのいずれか１項記載のエレクトロクロミックカラーシステムを作動させるための方法。
【請求項９】
異なる電圧を使用して個々の電極を駆動することにより、カラーセル（１１）において複数の色を生成する、請求項８記載の方法。
【請求項１０】
カラーセル（１１）に取り付けられた光検出器によって取り込まれた周辺画像を、下方に設けられたエレクトロクロミックカラーシステムにコピーする、請求項８または９記載の方法。
【請求項１１】
エレクトロクロミックカラーシステムの使用方法において、
建築物、車両または布地においてオブジェクトに着色するため、請求項１から７までのいずれか１項記載のエレクトロクロミックカラーシステムを使用することを特徴とする使用方法。
【発明の詳細な説明】
【技術分野】
【０００１】
本発明は、外側から可視であるオブジェクトの面においてエレクトロクロミックカラーシステムを作動させるための回路装置および方法に関する。
【０００２】
多くの製品の着色は、顧客の購買意欲に関して重要な役割を果たす。オブジェクトに着色するための多くの適用では、対象物の外側から可視である色が環境に適合されることが望まれる。このことは「カメレオン」作用と称される。
【０００３】
エレクトロクロミックカラーシステムでは、染料をドーピングすることによって色を変化させる。通常、電気化学セルの構成が使用される。エレクトロクロミック染料は、外部電圧を印加することによってドーピングされる。電気化学セルの層構成は典型的には、電極と、エレクトロクロミック染料と、電解質と、対電極とから成る。両電極間のシールは、電解質の損失を回避するために必要である。両電極間に電圧を印加すると、電解質のイオンが染料中に拡散し、該染料を酸化または低減させはじめる。このことは、ｐ型ドーピングないしはｎ型ドーピングに相応する。このことは染料の種類および印加電圧に依存する。
【０００４】
オブジェクトの可変かつ設定可能な表面色に対する解決手段は、従来は知られていなかった。
【０００５】
本発明の課題は、オブジェクトの可視部分を着色する際に、所期のように変化させることができるエレクトロクロミックカラーシステムおよび該エレクトロクロミックカラーシステムの作動方法を提供することである。
【０００６】
前記課題の解決手段は、請求項１ないしは請求項８に相応する請求項の組み合わせによって実現される。
【０００７】
有利な構成は、従属請求項に記載されている。
【０００８】
本発明の基礎となる思想は、オブジェクト表面上に配置されたエレクトロクロミックカラーシステムに、外部の光検出器または該オブジェクト内に組み込まれた光検出器によって、単色または多色で、部分的または全体的に、所定の色、色サンプルまたは画像を設けるということである。その際には、該システムのカラーセルを光検出器によって適切に駆動する。
【０００９】
複数の画素によって、光検出器の側でもエレクトロクロミックカラーシステムの側でも、構造化された画像が伝達および表示される。とりわけ、フォトダイオードアレイが使用される。
【００１０】
光検出器がカラーセルに直接配置されている場合、該カラーセルの材料は、光検出器によって直接的または間接的に駆動される、下方に設けられたカラーセルの色を外側から可視であるようにするため、半透過性でなければならない。
【００１１】
たとえば異なる３つの色を、隣接する複数のカラーセルにて隣接して表示することにより、アレイを適切に設計すれば、混色が生成される。
【００１２】
有機光検出器は有利には、共役ポリマ、小分子または双方の組み合わせを基礎として、半透過性に製造される。
【００１３】
エレクトロクロミックカラーシステムと、該エレクトロクロミックカラーシステム全体に設けられた光検出器の半透過性アレイとの組み合わせから、周辺色を識別し、コレに基づいて該カラーシステムの色を適合させるインテリジェントなカラーシステムが製造される。これは、「カメレオン」作用に相応する。前記組み合わせはたとえば、異なる色を感知する個々のピクセル（赤、緑、青）の組み合わせである。
【００１４】
半透過性の有機光検出器を使用することは有利である。というのも、こうすることによって検出システムを、エレクトロクロミックカラーシステムの全領域にわたって設けられるからだ。しかし、無機光検出器を使用すること、たとえば外部に配置されるかまたは別個にエレクトロクロミックなシステム内に別個に組み込まれる個々の検出器を使用することも考えられる。
【００１５】
とりわけ、メタライジングされた半透過性のフィルムにおいて該カラーシステムを使用および構成することにより、該システムをフレキシブルに製造することができる。前記半透過性のフィルムは、たとえばＩＴＯフィルムである。さらに該システムによって、この種の個々のエレクトロクロミックなカラー素子を、共通の担体上で相互に接続することによって、色細分化またはカラーセル分類、たとえばピクセル化が実施される。
【００１６】
このようにして本発明によって、エレクトロクロミックカラーシステムが、色感知式のフォトセンサからの信号によって駆動されるシステムが実現される。該色感知式のフォトセンサは、外部のフォトセンサであるか、またはカラーセルに組み込まれたフォトセンサである。
【００１７】
有利な構成では、半透過性のフォトダイオードアレイがエレクトロクロミックカラーシステムと組み合わされるか、ないしは組み込まれる。
【００１８】
以下で、概略的な図面に基づいて実施例を説明する。この図面は、本発明を制限するものではない。
【００１９】
図１  拡大して示された、光検出器を有するカラーセル（１１）を備えたオブジェクト表面（１）を示している。
【００２０】
図２  外部の光検出器を有する、図１に相応する図である。
【００２１】
エレクトロクロミックカラーシステムでは、染料をドーピングして色を変化させる。通常、電気化学セルの構成が使用され、エレクトロクロミック染料は電圧を印加することによってドーピングされる。電気化学セルの層構成は典型的には、電極と、エレクトロクロミック染料と、電解質と、対電極とから成り、電解質の損失を回避するために両電極間のシールが必要である。両電極間に電圧を印加すると、電解質のイオンが染料中に拡散し、該染料を酸化（ｐ型ドーピング）または低減（ｎ型ドーピング）させはじめる。このことは、染料の種類と印加される電圧とに依存する。
【００２２】
共役ポリマ、小分子またはこれらの組み合わせに基づく有機光検出器は、半透過性に製造される。
【００２３】
エレクトロクロミックカラーシステムを光検出器の半透過性のアレイと組み合わせることにより、周辺色を識別し、これに基づいて該カラーシステムの色を適合させるインテリジェントなカラーシステムが製造される。前記光検出器の半透過性のアレイは、たとえば、異なる色（赤、緑、青（ＲＧＢ））を感知する個々のピクセルの組み合わせであり、エレクトロクロミックカラーシステム全体にわたって設けられている。このことは、「カメレオン」作用に相応する。
【００２４】
半透過性の有機光検出器を使用することは有利である。というのも、こうすることによって検出システムを、エレクトロクロミックカラーシステムの全領域にわたって設けることができるからである。しかし、無機光検出器を使用すること、たとえば別個にエレクトロクロミックなシステム内に組み込まれた個々の検出器を使用することも考えられる。
【００２５】
とりわけ、メタライジングされた半透過性のフィルム上でカラーシステムを使用および構成することにより、該システムはフレキシブルに製造される。前記フィルムは、たとえばＩＴＯフィルムである。
【００２６】
とりわけ該システムでは、このようなエレクトロクロミックなカラー素子はそれぞれ共通の担体上で、相互に接続することによりピクセル化される。
【００２７】
特に有利には、半透過性のフォトダイオードアレイをエレクトロクロミックカラーシステムとともに組み込まれる。
【００２８】
たとえば壁、車等と関連して、色を希望に応じて変化させるか、または周囲に適合させるインテリジェントなカラーシステムは、エレクトロクロミックカラーシステムと光検出器とを組み合わせることによって、とりわけ、共役ポリマを基礎とするエレクトロクロミックカラーシステムと半透過性の有機光検出器とを組み合わせることによって製造される。
【００２９】
この「インテリジェント」な自己適合型のカラーシステムがピクセル化されて実施される場合、別の適用であるフルカラーコピーユニットを定義することができる。ここではピクセル化された半透過性の検出システムは、測定された周辺画像を該エレクトロクロミックカラーシステムに「書き込む」。
【図面の簡単な説明】
【００３０】
【図１】拡大して示された、光検出器を有するカラーセル（１１）を備えたオブジェクト表面（１）を示している。
【図２】外部の光検出器を有する、図１に相応する図である。
【図１】
2005512125.tif 000003
【図２】
2005512125.tif 000004
【国際調査報告】
2005512125.tif 000005
2005512125.tif 000006
2005512125.tif 000007
2005512125.tif 000008
2005512125.tif 000009
2005512125.tif 000010